(57)【要約】【課題】使用者の手作業で反応試験片１をハウジング６０に挿入させる移動速度が変化するときに対処できる反応試験片測定装置および反応試験片を提供する。【解決手段】反応試験片測定装置６は、出入口６２をもつハウジング６０と、ハウジング６０に設けられ収容室６１に挿入された反応試験片１の反応マーカ２（２ａ，２ｂ）および移動速度マーカ３に光を照射させる照射部６５と、照射部６５で照射された反応試験片１の反応マーカ２（２ａ，２ｂ）および移動速度マーカ３を読み取るセンサと、移動速度マーカ３の読み取り信号に基づいて反応試験片１のサンプリング条件を調整する制御部９とを有する。【選択図】図４
2011174843.tif 000002
【特許請求の範囲】
【請求項１】
反応により色変化を示す反応マーカと移動方向に沿って移動速度検出用の符号を間欠的にまたは連続的に延設させた移動速度マーカとを有する反応試験片を用い、前記反応試験片の前記反応マーカの色状況を測定する反応試験片光学測定装置であって、
前記反応試験片を収容する収容室と前記収容室と外部とを連通させて前記反応試験片を出入りさせる出入口とをもつハウジングと、
前記ハウジングに設けられ前記収容室に挿入された前記反応試験片の前記反応マーカおよび前記移動速度マーカに光を照射させる照射部と、
前記照射部で照射された前記反応試験片の前記反応マーカおよび前記移動速度マーカの色状況を読み取るセンサと、
前記移動速度マーカの読み取り信号に基づいて前記反応試験片の前記反応マーカの色状況に関するサンプリング条件を調整する制御部とを具備する反応試験片光学測定装置。
【請求項２】
請求項１において、前記移動速度マーカの前記移動方向の一端と他端との間に、前記反応マーカ部が配置されている反応試験片光学測定装置。
【請求項３】
請求項１または２において、前記反応試験片には、前記反応マーカの色の状況を判定する判定情報を識別するための識別マーカが設けられており、
前記センサは、前記照射部で照射された前記反応試験片の前記反応マーカおよび前記移動速度マーカの他に、前記識別マーカを読み取る反応試験片光学測定装置。
【請求項４】
請求項１〜３のうちの一項において、前記ハウジングは、前記収容室内に挿入された反応試験片と前記センサとの間にレンズを有しており、前記レンズは、前記反応試験片の前記反応マーカに焦点距離を合わせる第１レンズ部と、前記反応試験片の前記移動速度マーカに焦点距離を合わせる第２レンズ部とを有する反応試験片光学測定装置。
【請求項５】
請求項１〜４のうちの一項において、前記移動速度マーカは、前記反応試験片を前記ハウジングの前記出入口から前記収容室に挿入させる移動方向においてマーカ形状を異ならせた構成とされており、前記収容室への前記反応試験片の挿入と前記収容室からの前記反応試験片の引出との判定に用いられる反応試験片光学測定装置。
【請求項６】
反応により色変化を示す反応マーカと、移動方向に沿って速度検出用の符号を間欠的にまたは連続的に延設させた移動速度検出用の移動速度マーカとを具備する反応試験片。
【請求項７】
請求項６において、前記移動速度マーカの前記移動方向の一端と他端との間に、前記反応マーカ部が配置されている反応試験片。
【請求項８】
請求項６または７において、更に、前記反応マーカの色の状況を判定する判定情報を識別するための識別マーカを有する反応試験片。
【発明の詳細な説明】
【技術分野】
【０００１】
本発明は、血液や尿等の被測定対象物に含まれる成分に応じて反応マーカの色変化の状況を判定する反応試験片光学測定装置および反応試験片に関する。
【背景技術】
【０００２】
特許文献１は、血液や尿等の被測定対象物に含まれる成分に応じて色変化を発生させる反応マーカと、分析する成分の項目の検量線情報に関連する検量線情報マーカとを有する反応試験片を開示する。そして、制御部により反応試験片の検量線情報マーカを読み取ることにより、分析する成分の項目の検量線情報を外部メモリから抽出し、反応マーカの読み取り信号と検量線情報とを比較することにより、被測定対象物に含まれている分析成分の状況を判定することにしている。
【０００３】
使用者の手作業で反応試験片をハウジングに挿入させるときには、反応試験片の挿入速度が不可避的に変化し、これが反応マーカに関するサンプリング数に影響を与えるおそれがある。そこで特許文献２は、反応試験片のハウジングの収容室への挿入に伴い移動するステージと、ステージに設けられたラック部に噛み合う回転ギヤと、回転ギヤに同軸的に設けられたエンコーダとを有する光学測定装置を開示する。このものによれば、反応試験片のハウジングへの挿入に伴い、ステージが水平方向に沿って移動し、ステージに設けられたラック部に噛み合う回転ギヤが回転し、回転ギヤの回転をエンコーダが検出する。これにより制御部が反応試験片の移動速度を求め、求めた反応試験片の移動速度に応じてサンプリングタイムを変化させることにしている。これにより使用者の手作業で反応試験片をハウジングに挿入させる挿入速度が変化したとしても、反応マーカの色の状況に関するサンプリングタイムに影響を与えるおそれが解消される。
【先行技術文献】
【特許文献】
【０００４】
【特許文献１】特開２００６−２８４２７９号公報
【特許文献２】特開２００８−２０３１１４号公報
【発明の概要】
【発明が解決しようとする課題】
【０００５】
特許文献１によれば、反応試験片を手作業でハウジングの収容室に挿入する装置に適用する場合には、使用者の手作業で反応試験片をハウジングに挿入させる挿入速度が変化すると、反応試験片の反応マーカに対するサンプリングタイムに影響を与えるおそれがある。特許文献２によれば、使用者の手作業で反応試験片をハウジングに挿入させる挿入速度が変化するときであっても対処できるものの、ラックとこれと噛み合う回転ギヤという方向変換機構が測定装置の内部に必須とされ、コスト高を誘発させるおそれがある。  
【０００６】
本発明は上記した実情に鑑みてなされたものであり、ラックとこれと噛み合う回転ギヤという方向変換機構を必須とすることなく、反応試験片をハウジングの収容室に挿入させる移動速度が変化するときであっても対処できる反応試験片測定装置および反応試験片を提供することを課題とする。
【課題を解決するための手段】
【０００７】
本発明に係る反応試験片測定装置は、（ｉ）反応により色変化を示す反応マーカと移動方向に沿って移動速度検出用の符号を間欠的にまたは連続的に延設させた移動速度マーカとを有する反応試験片を用い、反応試験片の反応マーカの色状況を測定する反応試験片光学測定装置であって、（ｉｉ）反応試験片を収容する収容室と収容室と外部とを連通させて反応試験片を出入りさせる出入口とをもつハウジングと、（ｉｉｉ）ハウジングに設けられ収容室に挿入された反応試験片の反応マーカおよび移動速度マーカに光を照射させる照射部と、（ｉｖ）照射部で照射された反応試験片の反応マーカおよび移動速度マーカを読み取るセンサと、（ｖ）移動速度マーカの読み取り信号に基づいて反応マーカの色状況に関するサンプリング条件を調整する制御部とを具備する。
【０００８】
まず、被測定対象物を含む測定液を反応試験片に供給させる。すると、測定液に含まれている被測定対象物の濃度等に応じて反応マーカの色は変化する。使用者の手作業またはロボットで反応試験片を保持し、反応試験片を測定装置のハウジングの出入口から収容室に向けて挿入させる。反応試験片の挿入と共に、反応試験片のハウジングに形成されている移動速度マーカも反応試験片と共に収容室に移動して挿入される。
【０００９】
ここで、反応試験片の移動速度が速いと、移動速度マーカを構成する符号の移動速度が速いため、それに応じて制御部は単位時間あたりの反応マーカに関するサンプリング条件を調整する。これに対して、反応試験片の移動速度が遅いと、移動速度マーカの移動速度が遅いため、それに応じて制御部は単位時間あたりの反応マーカに関するサンプリング条件を調整する。これにより反応試験片の移動速度が変動したとしても、最適なサンプリングが得られる。よって、リニアイメージセンサによる反応マーカのサンプリングが良好に実行される。ここで、サンプリング条件を調整するとは、単位時間におけるサンプリング数、サンプリング間隔時間、総サンプリング時間のうちの少なくとも一つを調整することが例示される。
【発明の効果】
【００１０】
本発明によれば、ラックとこれと噛み合う回転ギヤという方向変換機構を必須とすることなく、使用者の手作業で反応試験片をハウジングに対して移動させる移動速度が変化するときであっても、移動速度に応じてサンプリング条件を調整して対処できる。
【図面の簡単な説明】
【００１１】
【図１】実施形態１に係り、反応試験片を上方から視認する平面図である。
【図２】実施形態１に係り、リニアイメージセンサで反応試験片を測定している状態を側方から視認する側面図である。
【図３】実施形態１に係り、リニアイメージセンサで反応試験片の反応マーカを測定する状態を示す図である。
【図４】実施形態１に係り、測定装置の収容室に反応試験片を挿入している途中の状態を示す断面図である。
【図５】実施形態１に係り、測定装置の収容室に出入口から反応試験片を挿入している途中の状態を示す斜視図である。
【図６】実施形態１に係り、反応試験片の反応マーカを測定した結果を示すグラフである。
【図７】実施形態１に係り、測定装置に搭載されている制御部を示すブロック図である。
【図８】実施形態１に係り、反応試験片の挿入速度が変化したときにおいて、移動速度マーカで得られる信号パルスの変化状態を示すグラフである。
【図９】実施形態１に係り、（Ａ）は移動速度マーカを示す図であり、（Ｂ）（Ｃ）は移動速度マーカで得られる波形を示す図である。
【図１０】実施形態２に係り、（Ａ）は移動速度マーカを示す平面図であり、（Ｂ）移動速度マーカを示す平面図であり、（Ｃ）は移動速度マーカを示す平面図である。
【図１１】実施形態３に係り、制御部が実行するフローチャートである。
【図１２】実施形態４に係り、反応試験片の反応マーカからの反射光をロッドレンズを介してリニアイメージセンサで測定する状態を示す斜視図である。
【図１３】実施形態４に係り、反応試験片の反応マーカをリニアイメージセンサで測定する状態を示す平面図である。
【発明を実施するための形態】
【００１２】
以下、本発明の各実施形態について図面を参照しつつ説明する。
【００１３】
（実施形態１）
図１は反応試験片１を上方から視認する平面図を示す。図２は反応試験片１を測定している状態を側方から視認する図を示す。図３はリニアイメージセンサ５で反応試験片１の反応マーカ２（２ａ，２ｂ）を測定する状態を示す。図４は測定装置６の収容室６１に反応試験片１を挿入している状態を示す。図５は測定装置６の収容室６１に反応試験片１を挿入している状態を示す。
【００１４】
まず、図１に示す反応試験片１について説明する。反応試験片１は、化学反応や抗体抗原反応等の反応により色変化を示すための反応マーカ２（２ａ，２ｂ）と、反応試験片１の長さ方向（矢印Ｌ方向）に沿って移動速度検出用の符号３０を延設させ反応試験片１の移動速度を検出するための移動速度マーカ３と、反応マーカ２（２ａ，２ｂ）の判定に関する判定情報（抗原反応等の反応に関する検量線情報等の基準情報）を識別するための識別マーカ４とを有する。
【００１５】
図１に示すように、反応試験片１は、第１開口窓１５、第２開口窓１６および収容空間を有するケース１０と、ケース１０の収容空間１２に収容された試験紙１３とを有する。試験紙１３は上面１３ａと下面１３ｃとを有する。反応試験片１は、上記反応により色変化を示す反応マーカ２（２ａ，２ｂ）を有する。反応マーカ２（２ａ，２ｂ）は第２開口窓１６から外部の上方に露出して視認可能である。ここで、第１開口窓１５から供給された被測定対象物を含む測定液が試験紙１３に供給されると、測定液は試験紙１３に沿って反応マーカ２（２ａ，２ｂ）に向けて移動する。よって、反応試験片１に供給された被測定対象物の濃度等に応じて、反応マーカ２（２ａ，２ｂ）の色は変化する。反応マーカ２（２ａ，２ｂ）はケース１０の第２開口窓１６において露出しているため、反応マーカ２（２ａ，２ｂ）の色状況は外部の上方から視認可能とされる。
【００１６】
ここで、図１に示すように、反応マーカ２（２ａ，２ｂ）はケース１０の外壁面１１の上面１１ｕよりも内方（下方）に退避している。移動速度マーカ３および識別マーカ４は、ケース１０の外壁面１１の上面１１ｕに外部の上方に露出するように配置されている。このため、反応試験片１が水平状態に設置されるときには、反応試験片１の反応マーカ２（２ａ，２ｂ）の高さ位置は、移動速度マーカ３および識別マーカ４の高さ位置よりも低い位置とされている。
【００１７】
図１に示すように、移動速度マーカ３は、着色（例えば黒色）された線状または棒状の微小の符号３０を、反応試験片１の挿入方向（矢印Ｌ１方向）に沿って複数個並設させた状態で、反応試験片１のケース１０の外壁面１１の上面１１ｕにおいて露出するように形成されている。移動速度マーカ３は、反応試験片１のケース１０の第２開口窓１６の長さ方向、すなわち、反応試験片１の長さ方向（矢印Ｌ方向）に沿って符号３０を間隔を隔てて間欠的に延設することにより形成されている。図１に示すように、反応試験片１の幅方向（矢印Ｄ方向）において、移動速度マーカ３は、反応試験片１のケース１０の第２開口窓１６に隣設状態で並設されている。この結果、後述するリニアイメージセンサ５で移動速度マーカ３を読み取りつつ、反応試験片１の試験紙１３の反応マーカ２（２ａ，２ｂ）の色状況を読み取ることができる。本実施形態によれば、図１に示すように、移動速度マーカ３のうち挿入方向（矢印Ｌ１方向）の一端３ｅと他端３ｆとの間に、反応マーカ部２（２ａ，２ｂ）および識別マーカ４が直列に配置されている。  
【００１８】
なお、識別マーカ４は反応試験片１の挿入先端部１０ａではなく、反応試験片１を手指で掴む掴み部１０ｃの側に寄った位置に配置されている。即ち、反応試験片１の長さ方向（矢印Ｌ方向）において、反応マーカ２（２ａ，２ｂ）および識別マーカ４は直列に配置されている。このため、反応試験片１に反応マーカ２（２ａ，２ｂ）、移動速度マーカ３および識別マーカ４の三者を配置させつつも、反応試験片１の幅方向（矢印Ｄ方向）の寸法サイズを小さくさせるのに有利である。このため、後述する測定装置６のハウジング６０の収容室６１が矢印Ｄ方向において制約を受けるときに有利である。識別マーカ４はＱＲコードで形成されており、基準点４ａ，４ｂ，４ｃを有する。識別マーカ４の基準点４ａ，４ｂ，４ｃが移動速度マーカ３と共にリニアイメージセンサ５により読み取られるため、基準点４ａ，４ｂ，４ｃの位置の確定性が向上し、識別マーカ４の読み取り精度が高まる。識別マーカ４はＱＲコードに限らず、他の識別コードとしても良い。なお、産業界では一般的には、ＱＲコードは実質的に静止状態のカメラにより撮像されて検知される。図１に示すように反応マーカ２（２ａ，２ｂ）および識別マーカ４に沿って移動速度マーカ３が延設されているため、すなわち、矢印Ｌ１，Ｌ２方向において、反応マーカ２（２ａ，２ｂ）および識別マーカ４が移動速度マーカ３と重なっているため、反応マーカ２（２ａ，２ｂ）および識別マーカ４の読み取りが移動速度マーカ３により良好に行い得る。換言すると、移動速度マーカ３のうち挿入方向（矢印Ｌ１方向）の一端３ｅと他端３ｆとの間であれば、反応試験片１の挿入速度および引き出し速度を検知することができ、その速度に応じてサンプリング条件が調整されるため、挿入速度および引き出し速度が変化したとしても、反応マーカ２（２ａ，２ｂ）および識別マーカ４の読み取りが良好に行われる。
【００１９】
図４は、反応試験片１の反応マーカ２（２ａ，２ｂ）の色変化を測定するための反応試験片光学測定装置６を示す。図４に示すように、反応試験片光学測定装置６は、ハウジング６０と、ハウジング６０内に設けられた照射部６５と、ハウジング６０内に設けられたリニアイメージセンサ５（センサ）と、ハウジング６０内に設けられた制御部９と、ハウジング６０の外壁面の上面６０ｕに設けられた表示部９７とを有する。ハウジング６０は偏平な薄型形状をなしており、反応試験片１を収容する薄型の収容室６１と、収容室６１と外部とを連通させて反応試験片１を出入りさせる出入口６２とをもつ。出入口６２はハウジング６０の側壁部６０ｅにおいて外部に向けて開口する。出入口６２は、反応試験片１を水平方向（矢印Ｌ１，Ｌ２方向）に沿って出し入れさせる。照射部６５は、ハウジング６０の収容室６１に設けられており、出入口６２から収容室６１に挿入された反応試験片１の反応マーカ２（２ａ，２ｂ）、移動速度マーカ３および識別マーカ４に光をそれぞれ照射させる。
【００２０】
図２に示すように、照射部６５は、反応試験片１の挿入方向および引き出し方向である矢印Ｌ１，Ｌ２方向において、リニアイメージセンサ５を挟む位置に配置された第１照射部６５１および第２照射部６５２で構成されている。反応試験片１が収容室６１に挿入されるとき、第１照射部６５１および第２照射部６５２は、反応マーカ２（２ａ，２ｂ）、移動速度マーカ３および識別マーカ４の真上に位置することになる。これにより反応マーカ２（２ａ，２ｂ）、移動速度マーカ３および識別マーカ４などを照らす照射むらが抑制される。よってリニアイメージセンサ５のセンシング精度が確保される。ここで、図１から理解できるように、第１照射部６５１および第２照射部６５２は、反応試験片１の長さ方向（矢印Ｌ方向）と交差する方向、即ち、反応試験片１の幅方向（矢印Ｄ方向）に沿って収容室６１内において長く延設されている。
【００２１】
第１照射部６５１および第２照射部６５２は、ウレタン、エポキシ、フェノール等の透明樹脂などの導光材料に、光を反射させる微粒子状の光拡散材を混合させて形成されている。この場合、第１照射部６５１に光を入射させる投光用光源と、第２照射部６５２に光を入射させる投光用光源とが収容室６１内に設けられていることが好ましい。あるいは、第１照射部６５１および第２照射部６５２は、収容室６１内に設けられた図略の発光ダイオード（投光用光源）を矢印Ｄ方向に並設させて形成されていても良い。場合によっては、第１照射部６５１および第２照射部６５２に代えて、または、第１照射部６５１および第２照射部６５２と共に、照射源として機能する発光源である発光ダイオード５ｘ（図４参照）を採用しても良い。
【００２２】
図１から理解できるように、リニアイメージセンサ５は、ハウジング６０の収容室６１において、反応試験片１の上方に位置するように設けられている。リニアイメージセンサ５は、複数の受光画素を一列に反応試験片１の幅方向（矢印Ｄ方向，反応試験片１の挿入方向である矢印Ｌ２方向と直交する方向）に沿って並設させた構造を有する。このような構造のリニアイメージセンサ５は、撮像カメラとは異なり、短い焦点距離をもつため、ハウジング６０の高さ方向（矢印Ｈ方向）の薄型化に有利となる。撮像カメラによれば、撮像方向の先方に向かうにつれて撮像範囲が大きく拡大する関係上、焦点距離の短縮化には不利であり、更に、接近物の接写には不利である。このため撮像カメラが使用される場合には、リニアイメージセンサ５が使用される場合とは異なり、ハウジング６０の高さの薄型化には限界がある。本実施形態によれば、リニアイメージセンサ５が採用されているため、ハウジング６０の高さの薄型化に有利である。リニアイメージセンサ５は、照射部６５で照射された反応試験片１の反応マーカ２（２ａ，２ｂ）、移動速度マーカ３および識別マーカ４から反射された反射光を後述のロッドレンズアレイ７を介して読み取る。図２および図３に示すように、ハウジング６０の収容室６１内に、収容室６１内に挿入された反応試験片１とリニアイメージセンサ５との間に位置するようにロッドレンズアレイ７（レンズ）が設けられている。図３に示すように、ロッドレンズアレイ７は、反応試験片１の幅方向（矢印Ｄ方向）において複数のロッドレンズ７０を隣設させつつ並設させることにより形成されている。
【００２３】
本実施形態によれば、図３から理解できるように、リニアイメージセンサ５を使用することにより、ひとつのセンサだけで反応試験片１の反応マーカ２（２ａ，２ｂ）および移動速度マーカ３を同時に読み込むことができる。さらに、反応試験片１の識別マーカ４も、同じリニアイメージセンサ５で検出できる。リニアイメージセンサ５を使用することにより、ＣＣＤエリアイメージセンサやＣＭＯＳエリアイメージセンサと比べて以下の特徴が得られる。画素サイズを大きくできるので、感度が高くできる。ビデオレートが高速なため迅速な読取が可能である。ロッドレンズ等が使用可能であり、光学作動距離を短くできる。読み取り方向の信号レベルが一定であるため、明度の補正がいらない。電気回路構成、画像処理プログラム構成が簡単になる。
【００２４】
なお、フォトトランジスタ、フォトダイオード、アバランシェフォトダイオード、光電子増倍管などの単素子が採用されている場合には、リニアイメージセンサ５が採用される場合とは異なり、移動速度マーカ３および識別マーカ４を同時に読み込むことができない問題がある。なお、図７に示すように、制御部９は、ＣＰＵ９０と、第１メモリ９１（ＥＥＰＲＯＭ）と、第２メモリ９２（ＳＲＡＭ）と、時間検知用半導体素子９３（ＲＴＣ）と、外部メモリ（ＵＳＢ）９４が接続されるＵＳＢ端子９５とをもつ。ＣＰＵ９０の指令は照射部６５の投光用光源６９および表示部９７に出力される。ＣＰＵ９０から指令に基づいてリニアイメージセンサ５は撮像を開始するものである。イメージセンサ５は、制御回路５０と、制御回路５０からの信号を増幅させるアンプ５１と、アンプ５１からのアナログ信号をデジタル信号に変換してＣＰＵ９０に出力させる変換部５２とを有する。第１メモリ９１の所定のエリアには、反応マーカ２（２ａ，２ｂ）の色変化に関する判定情報（例えば検量線情報）および測定プログラムが格納されている。ＣＰＵ９０は、第２メモリ９２の所定のエリアに、反応マーカ２（２ａ，２ｂ）の色状況に関する測定情報を格納させる。
【００２５】
反応試験片光学測定装置６で反応試験片１の反応マーカ２（２ａ，２ｂ）の色変化を測定する場合について説明する。まず、被測定対象物を含む測定液を反応試験片１の第１開口窓１５に供給させる。すると、測定液は表面張力等により反応試験片１の試験紙１３を移動し、反応マーカ２（２ａ，２ｂ）に到達する。測定液に含まれている被測定対象物の濃度に応じて、反応マーカ２（２ａ，２ｂ）の色は変化する。次に、使用者が手作業で反応試験片１の掴み部１０ｃを掴み、反応試験片１を測定装置６のハウジング６０の底面６０ｖに案内させつつ、出入口６２から矢印Ｌ１方向に収容室６１に向けて移動させて挿入させる。反応試験片１がハウジング６０の収容室６１に挿入されると共に、反応試験片１のハウジング６０に形成されている移動速度マーカ３および識別マーカ４も反応試験片１と共に収容室６１に挿入される。
【００２６】
ここで、手作業による反応試験片１の挿入速度（移動速度）が速い場合には、移動速度マーカ３の移動速度が速いため、多数の移動速度マーカ３の符号３０に基づくパルス信号の単位時間あたりの数が増加する。このパルス数がＣＰＵ９０に検知され、ＣＰＵ９０は反応試験片１の挿入速度を演算で求める。この場合、制御部９のＣＰＵ９０は単位時間あたりのサンプリング数（反応マーカ２（２ａ，２ｂ）の色状況に関するサンプリング数）を増加させる指令をリニアイメージセンサ５に出力する。これに対して、手作業による反応試験片１の挿入速度（移動速度）が遅い場合には、移動速度マーカ３の移動速度が遅いため、移動速度マーカ３の符号３０に基づく信号パルスの単位時間あたりの数が減少する。このパルス数がＣＰＵ９０に検知され、ＣＰＵ９０は反応試験片１の挿入速度を求める。この場合、制御部９のＣＰＵ９０は単位時間あたりのサンプリング数（反応マーカ２（２ａ，２ｂ）の色状況に関するサンプリング数）を減少させる指令をリニアイメージセンサ５に出力する。このように反応試験片１の挿入速度が変動したとしても、単位時間当たり最適なサンプリング数、最適なサンプリング間隔等のサンプリング条件が得られる。よって、リニアイメージセンサ５によるサンプリングが良好に実行される。このようにして制御部９により反応マーカ２（２ａ，２ｂ）の色状況の光強度に関する信号Ｓ１，Ｓ２（図６参照）が求められる。このようにしてＣＰＵ９０は、信号Ｓ１および信号Ｓ２に関する測定値を検知する。例えば、ＣＰＵ９０は、測定値として、信号Ｓ１と信号Ｓ２との比を求める。更に本実施形態によれば、ＣＰＵ９０は、反応試験片１のケース１０に形成されている識別マーカ４を読み取る。従って、識別マーカ４の読み取りに基づいて、ＣＰＵ９０は、ハウジング６０の第１メモリ９１の所定のエリアに格納されている反応マーカ２（２ａ，２ｂ）の色状況に関する判定情報（例えば検量線情報）を読み出す。そしてＣＰＵ９０は上記した測定値と判定情報（例えば検量線情報）とに基づいて、制御部９は、測定液に含まれている被測定対象物の濃度を求める。その後、ＣＰＵ９０は被測定対象物の濃度に関する情報を表示部９７に表示させる指令を出力する。
【００２７】
図８において特性線Ａ１は手作業による反応試験片１の挿入速度を示す。領域Ａ２から挿入速度が低下している。特性線Ａ１で示される反応試験片１の挿入速度の大小に応じて、単位時間あたりに得られるパルスＰの数が変化する。パルスＰの数は、移動速度マーカ３を構成する符号３０の数に相当する。従って、単位時間Ｔあたりに得られるパルスＰの数が多いときには、反応試験片１の挿入速度（移動速度）が速いことを示す。単位時間Ｔあたりに得られるパルスＰの数が少ないときには、反応試験片１の挿入速度が遅いことを示す。反応試験片１をハウジング６０から引き出すときも同様である。
【００２８】
図９は、反応試験片１のケース１０に配置されている移動速度マーカ３によって反応試験片１の挿入または反応試験片１の引き出しを判定する原理を示す。図９に示すように、移動速度マーカ３は、反応試験片１の移動方向に沿って延びる第１仮想線１００，第２仮想線１０２に規定されつつ形成されている。即ち、移動速度マーカ３は、第１仮想線１００に沿って間欠的に並設された第１符号部３０ａと、第２仮想線１０２に沿って間欠的に並設された第２符号部３０ｂとをもつ。反応試験片１が矢印Ｌ１方向に移動されて反応試験片１がハウジング６０に挿入されるときには、図９（Ｂ）に示すパルス波形が得られる。反応試験片１が矢印Ｌ１方向に移動されて反応試験片１がハウジング６０から引き出されるときには、図９（Ｃ）に示すパルス波形が得られる。このように移動速度マーカ３の形状に基づいて、反応試験片１の挿入および引き出しが判定される。
【００２９】
以上説明したように本実施形態において、前記した従来技術とは異なり、ラックとこれと噛み合う回転ギヤという方向変換機構を必須とすることなく、使用者の手作業で反応試験片１をハウジング６０に挿入させる挿入速度が変化するときにサンプリング条件を調整して対処できる反応試験片測定装置６および反応試験片１を提供することができる。
【００３０】
上記したように移動速度マーカ３のうち移動方向である挿入方向（矢印Ｌ１方向）の一端３ｅと他端３ｆとの間であれば、反応試験片１の挿入速度および／または引き出し速度を検知することができる。この点について本実施形態によれば、図１に示すように、移動速度マーカ３のうち移動方向（矢印Ｌ１方向）の一端３ｅと他端３ｆとの間に、反応マーカ部２（２ａ，２ｂ）および識別マーカ４が直列に配置されている。このため、反応試験片１の挿入速度に応じて、更に、引き出し速度に応じて、反応マーカ部２（２ａ，２ｂ）および識別マーカ４に対する単位時間当たりのサンプリング数およびサンプリング間隔等といったサンプリング条件を調整できる。故に、反応マーカ部２（２ａ，２ｂ）および識別マーカ４を良好に検知できる。
【００３１】
なお本実施形態によれば、図１から理解できるように、挿入先端部１０ａから掴み部１０ｃにかけて、矢印Ｌ方向において反応マーカ部２（２ａ，２ｂ）および識別マーカ４の順に配置されているが、これに限らず、逆でも良い。
【００３２】
（実施形態２）
図１０は実施形態３を示す。本実施形態は前記した実施形態１，２と基本的には共通の構成および共通の作用効果を有する。図１０（Ａ）によれば、移動速度マーカ３を構成する符号３０の形状は、反応試験片１の挿入方向（矢印Ｌ１方向）において幅が増加するように変化する。この場合、反応試験片１の挿入方向（矢印Ｌ１方向）において幅が減少するように変化することにしても良い。図１０（Ｂ）によれば、移動速度マーカ３を構成する符号３０の形状は、反応試験片１の挿入方向（矢印Ｌ１方向）と直交する方向（矢印Ｄ方向）において、第１符号３０ｆと第２符号３０ｓと第３符号３０ｔとが並設されている。第１符号３０ｆは、反応試験片１の挿入方向（矢印Ｌ１方向）において間隔を隔てて複数個並設されている。第２符号３０ｓは、反応試験片１の挿入方向（矢印Ｌ１方向）において間隔を隔てて複数個並設されている。第３符号３０ｔは、反応試験片１の挿入方向（矢印Ｌ１方向）において間隔を隔てて複数個並設されている。図１０（Ｃ）によれば、移動速度マーカ３を構成する符号３０は、反応試験片１の挿入方向（矢印Ｌ１方向）において間隔を隔てて並設されている。
【００３３】
本実施形態においても、ラックとこれと噛み合う回転ギヤという方向変換機構を必須とすることなく、使用者の手作業で反応試験片１をハウジング６０に挿入させる挿入速度が変化するときに対処できる反応試験片測定装置６および反応試験片１を提供することができる。
【００３４】
（実施形態３）
図１１は実施形態３を示す。本実施形態は前記した実施形態１，２と基本的には共通の構成および共通の作用効果を有しており、図１〜図１０を準用できる。図１１は制御のフローチャートの一例を示す。制御のフローチャートはあくまでも一例であり、これに限定されるものではない。フローチャートは反応試験片１の挿入と共に開始される。まず、移動速度マーカ３を読み取った後（ステップＳ２）、反応試験片１の挿入か否かを判定する（ステップＳ２）。挿入であれば、反応試験片１の挿入速度を演算で求める（ステップＳ４）。次に、反応試験片１の挿入速度に応じてサンプリング挿入速度を演算で求める（ステップＳ６）。更に、規定されたサンプリング挿入速度で反応マーカ２（２ａ，２ｂ）を読み取り、読み取り結果を第２メモリ９２の所定のエリアに格納させる。挿入が完了していなければ（ステップＳ８のＮｏ）、上記した操作を継続させる。挿入完了は、反応試験片１の基端側の識別マーカ４を読み取れば、検知される。あるいは、反応試験片１において移動速度マーカ３が存在しないことが検知されることからも判定される。反応試験片１の挿入が完了していれば（ステップＳ１２のＹｅｓ）、反応試験片１の挿入が完了した旨を表示部９７で表示する（ステップＳ１４）。更に、移動速度マーカ３を読み込んだ後（ステップＳ１６）、反応試験片１の引き出しか否かを判定する（ステップＳ１８）。引き出しであれば、反応試験片１の引き出し挿入速度を演算で求める（ステップＳ２０）。次に、反応試験片１の引き出し挿入速度に応じてサンプリング挿入速度を演算で求める（ステップＳ２２）。更に、規定されたサンプリング挿入速度で反応マーカ２（２ａ，２ｂ）を読み取り、読み取り結果を第２メモリ９２の所定のエリアに格納させる（ステップＳ２４）。引き出しが完了していなければ（ステップＳ２６のＮｏ）、上記した操作を継続させる。引き出し完了は、反応試験片１の基端側の識別マーカ４を読み取れば、検知される。あるいは、移動速度マーカ３が存在しないことからも判定される。反応試験片１の挿入が完了していれば（ステップＳ２６のＹｅｓ）、反応試験片１の挿入時における反応マーカ２（２ａ，２ｂ）における信号Ｓ１，Ｓ２を求める（ステップＳ２８）。
【００３５】
更に、反応試験片１の挿入時における反応マーカ２（２ａ，２ｂ）における信号Ｓ１，信号Ｓ２の比を求める（ステップＳ３０）。次に、反応試験片１の引き出し時における反応マーカ２（２ａ，２ｂ）における信号Ｓ１，Ｓ２を求める（ステップＳ３２）。更に、反応試験片１の引き出し時における反応マーカ２（２ａ，２ｂ）における信号Ｓ１，信号Ｓ２の比を求める（ステップＳ３４）。次に、第１メモリ９１にエリアに格納されているＣＰＵ９０は、ハウジング６０の第１メモリ９１の所定のエリアに格納されている反応マーカ２（２ａ，２ｂ）の色状況に関する判定情報（例えば検量線情報）を読み込む。そしてＣＰＵ９０は、反応試験片１の挿入時における上記した測定値（信号Ｓ１，信号Ｓ２の比）と判定情報（例えば検量線情報）とに基づいて、制御部９は、測定液に含まれている被測定対象物の濃度（反応試験片１の挿入時に測定された被測定対象物の濃度）を求める。更に、ＣＰＵ９０は、反応試験片１の挿入時における上記した測定値（信号Ｓ１，信号Ｓ２の比）と判定情報（例えば検量線情報）とに基づいて、制御部９は、測定液に含まれている被測定対象物の濃度（反応試験片１の引き出し時に測定された被測定対象物の濃度）を求める（ステップＳ３８）。その後、ＣＰＵ９０は判定結果を表示部９７に表示させる指令を出力する（ステップＳ４０）。この場合、反応試験片１の挿入時に測定された被測定対象物の濃度Ｃｇｏと、反応試験片１の引き出し時に測定された被測定対象物の濃度Ｃｒｅｔｕrｎとを表示部９７は表示する。更に、表示部９７は、反応試験片１の挿入時に測定された濃度と反応試験片１の引き出し時に測定された濃度との平均値Ｃａｖｅを表示する。
【００３６】
このため、挿入時における濃度Ｃｇｏと引き出し時における濃度Ｃｒｅｔｕrｎとが大きく相違するときには、使用者は反応試験片１の測定を再度行うことにすれば良い。但し、本実施形態によれば、挿入時における濃度Ｃｇｏのみを表示部９７で表示させることにしても良い。更に、引き出し時における濃度Ｃｒｅｔｕrｎのみを表示部９７で表示させることにしても良い。或いは、平均値Ｃａｖｅのみを表示部９７で表示させることにしても良い。
【００３７】
（実施形態４）
図１２及び図１３は実施形態４を示す。本実施形態は前記した実施形態１〜３と基本的には共通の構成および共通の作用効果を有する。実施形態１と同様に、反応試験片１が水平状態に設置されるとき、高さ方向Ｈにおいて、反応マーカ２（２ａ，２ｂ）の高さ位置は、移動速度マーカ３および識別マーカ４の高さ位置よりも低い位置とされている。図１２に示すように、収容室６１内に挿入された反応試験片１とリニアイメージセンサ５との間にロッドレンズアレイ７（レンズ）が設けられている。図１２に示すように、ロッドレンズアレイ７は、反応試験片１のケース１０に内蔵されている試験紙１３の反応マーカ２（２ａ，２ｂ）に焦点距離を合わせる第１ロッドレンズアレイ７１（第１レンズ部）と、反応試験片１のケース１０の外壁面１１の上面１１ｕに配置されている移動速度マーカ３および識別マーカ４に焦点距離を合わせる第２ロッドレンズアレイ７２（第２レンズ部）とを有する。前述したように移動速度マーカ３および識別マーカ４は反応マーカ２（２ａ，２ｂ）よりも高い位置に配置されているため、焦点距離が個別に設定されていることは有効である。
【００３８】
図１３に示すように、移動速度マーカ３および識別マーカ４は、反応試験片１の長さ方向（矢印Ｌ方向）における所定位置に配置されており、反応試験片１の幅方向（矢印Ｄ方向）において互いに隣設されている。この結果、図１３に示すように、反応試験片１のケース１０の外壁面１１の上面１１ｕにおいて、反応マーカ２（２ａ，２ｂ）、移動速度マーカ３および識別マーカ４の順に反応試験片１の幅方向（矢印Ｄ方向）において並設されている。このように反応マーカ２（２ａ，２ｂ）および移動速度マーカ３が接近しつつ矢印Ｄ方向において隣設されている。この場合、反応試験片１の幅方向（矢印Ｄ方向の）寸法が増加する傾向があるが、反応試験片１の長さ方向（矢印Ｌ方向）の寸法を短縮させることができる。
【００３９】
本実施形態においても、他の実施形態と同様に、ラックとこれと噛み合う回転ギヤという方向変換機構を測定装置に必須とすることなく、使用者の手作業で反応試験片１をハウジング６０に挿入させる挿入速度が変化するときに容易に対処できる反応試験片測定装置６および反応試験片１を提供することができる。上記したように移動速度マーカ３のうち挿入方向（矢印Ｌ１方向）の一端３ｅと他端３ｆとの間であれば、反応試験片１の挿入速度および引き出し速度を検知することができる。この点について本実施形態によれば、図１３に示すように、移動速度マーカ３のうち挿入方向（矢印Ｌ１方向）の一端３ｅと他端３ｆとの間に、反応マーカ部２（２ａ，２ｂ）および識別マーカ４が並列状態に配置されている。このため、反応試験片１の挿入速度に応じて、更に、引き出し速度に応じて、反応マーカ部２（２ａ，２ｂ）および識別マーカ４に対する単位時間当たりのサンプリング数およびサンプリング間隔等といったサンプリング条件を調整できる。故に、反応マーカ部２（２ａ，２ｂ）および識別マーカ４を良好に検知できる。
【００４０】
（その他）上記した実施形態によれば、移動速度マーカ３の移動速度が速いときには、制御部９は単位時間あたりのサンプリング数（反応マーカ２（２ａ，２ｂ）の色状況に関するサンプリング数）を増加させる指令をリニアイメージセンサ５に出力する。また移動速度マーカ３の移動速度が遅いときには、制御部９は単位時間あたりのサンプリング数（反応マーカ２（２ａ，２ｂ）の色状況に関するサンプリング数）を減少させる指令をリニアイメージセンサ５に出力する。しかしこれに限らず、移動速度マーカ３の移動速度が速いときには、制御部９は総サンプリングタイムを短縮させる指令をリニアイメージセンサ５に出力し、移動速度マーカ３の移動速度が遅いときには、制御部９は総サンプリングタイムを延長させる指令をリニアイメージセンサ５に出力することにしても良い。この場合においても、反応試験片１の挿入速度の変化に対処できる。本発明は、血液や尿等の被測定対象物に含まれる成分を測定するばかりか、化学物質によって反応マーカの色変化の状況を判定する場合についても適用できる。本発明は上記し且つ図面に示した実施形態のみに限定されるものではなく、要旨を逸脱しない範囲内で適宜変更して実施できる。
【符号の説明】
【００４１】
１は反応試験片、１０はケース、１３は試験紙、２は反応マーカ、３は移動速度マーカ、３０は符号、４は識別マーカ、５はリニアイメージセンサ（センサ）、６は測定装置、６０はハウジング、６１は収容室、６２は出入口、６５は照射部、６５１は第１照射部、６５２は第２照射部、９は制御部を示す。
【図１】
2011174843.tif 000003
【図２】
2011174843.tif 000004
【図３】
2011174843.tif 000005
【図４】
2011174843.tif 000006
【図５】
2011174843.tif 000007
【図６】
2011174843.tif 000008
【図７】
2011174843.tif 000009
【図８】
2011174843.tif 000010
【図９】
2011174843.tif 000011
【図１０】
2011174843.tif 000012
【図１１】
2011174843.tif 000013
【図１２】
2011174843.tif 000014
【図１３】
2011174843.tif 000015